(57)【要約】【課題】複数のインバータを直列に接続した電力変換装置において、入力電圧が最大であるインバータを除くインバータの入力電圧の変動を低減すること。【解決手段】入力電圧が最大であるインバータ６にゲートパルス信号を出力するゲートパルス発生器２９と、インバータ６の入力電圧を検出する電圧検出器１２と、インバータ７，８の入力電圧をそれぞれ平滑化するコンデンサ１０，１１と、コンデンサ１０，１１の電力をそれぞれ検出する電力検出器１３，１４と、出力電流目標値、出力電力目標値、インバータ６の入力電圧、コンデンサ１０の電力、およびコンデンサ１１の電力に応じたゲートパルス信号を発生させるようにゲートパルス発生器２９を制御する制御回路１５と、を備える。【選択図】図１
2010183670.tif 000002
【特許請求の範囲】
【請求項１】
直流電圧を交流電圧に変換して出力する複数の単相インバータを有し、交流側端子が直列に接続された当該複数の単相インバータの各発生電圧による総和電圧を出力する電力変換装置において、
前記複数の単相インバータのうちの入力電圧が最大である第１の単相インバータの動作を制御するゲートパルス信号を前記第１の単相インバータに出力するゲートパルス発生器と、
前記第１の単相インバータの入力電圧を検出する電圧検出器と、
前記複数の単相インバータのうちの前記第１の単相インバータを除く１または複数の第２の単相インバータの入力電圧を平滑化する１または複数のコンデンサと、
前記各コンデンサの電力を検出する１または複数の電力検出器と、
前記第１および第２の単相インバータによる出力電流目標値と、前記第１および第２の単相インバータによる出力電力目標値と、前記電圧検出器によって検出された前記第１の単相インバータの入力電圧と、前記各電力検出器によって検出された前記各コンデンサの電力と、に応じたゲートパルス信号を発生させるように前記ゲートパルス発生器を制御する制御回路と、
を備えたことを特徴とする電力変換装置。
【請求項２】
前記制御回路は、
前記第１および第２の単相インバータによる出力電流目標値と、前記第１および第２の単相インバータによる出力電力目標値と、前記電圧検出器によって検出された前記第１の単相インバータの入力電圧と、前記各電力検出器によって検出された前記各コンデンサの電力のうちの最大値と、に応じたゲートパルス信号を発生させるように前記ゲートパルス発生器を制御することを特徴とする請求項１に記載の電力変換装置。
【請求項３】
前記制御回路は、
前記ゲートパルス発生器が出力するゲートパルス信号のパルス幅に上下限を設けることを特徴とする請求項１又は２に記載の電力変換装置。
【請求項４】
前記各電力検出器は、
前記各コンデンサの電圧を検出する電圧検出器と、
前記電圧検出器によって検出された前記各コンデンサの電圧と前記各コンデンサの静電容量とに基づいて、前記各コンデンサの電力を算出する電力演算器と、
を備えたことを特徴とする請求項１乃至３に記載の電力変換装置。
【請求項５】
前記制御回路は、
前記各コンデンサの定格電力と前記各電力検出器によって検出された前記各コンデンサの電力との差分に比例積分制御を行うことを特徴とする請求項１乃至４に記載の電力変換装置。
【発明の詳細な説明】
【技術分野】
【０００１】
本発明は、太陽電池等から出力される直流電力を交流電力に変換する電力変換装置に関するものである。
【背景技術】
【０００２】
太陽電池等から出力される直流電力を交流電力に変換する従来の電力変換装置では、インバータの出力電圧の最大値は、チョッパによる昇圧電圧の大きさによって決まる。そのため、例えば２００Ｖの交流電圧を出力する場合には、昇圧された直流電圧は２８２Ｖ以上であることが必要であり、通常は余裕を見てさらに高い直流電圧に昇圧されるようにチョッパが調整、設定されている。太陽電池の出力電圧は、通常２００Ｖ程度、またはそれ以下であるので、上述したようにチョッパにより２８２Ｖ以上に昇圧する必要がある。しかしながら、昇圧率が高くなるとチョッパのスイッチング素子やダイオードでの損失が大きくなり、電力変換装置全体の効率が低下してしまう。このような昇圧にかかる損失を低減でき、変換効率の高い電力変換装置として、例えば、下記の特許文献１に示されたものがある。
【０００３】
特許文献１に示された電力変換装置では、１または複数の第２の直流電源から流出する電力量は、当該第２の直流電源をそれぞれ入力とする１または複数の単相インバータを介した放電、充電により変動する。このような第２の直流電源から流出する電力量の変動量を抑え、系統１周期での直流電源の総変動電力量を小さくすることで、電力変換装置の高効率化が可能である。そのため、特許文献１に示された電力変換装置では、各単相のインバータを介した放電と充電とによる第２の直流電源の総変動電力量が所定量以下または略０となるように、第１の直流電源の電圧を設定するようにしている。また、第２の直流電源の総変動電力量が小さくなるように、第１の直流電源を入力とするインバータの出力パルス幅を調整するようにしている。なお、総変動電力量とは、直流電源から流出する電力量の積分値である。
【先行技術文献】
【特許文献】
【０００４】
【特許文献１】特開２００６−２３８６２８号公報
【発明の概要】
【発明が解決しようとする課題】
【０００５】
上記したように、特許文献１に示された電力変換装置では、第２の直流電源の総変動電力量が所定量以下となるように、第１の直流電源の電圧を設定するようにしている。しかしながら、第２の直流電源の総変動電力量がたとえ所定量以下であっても絶対量として充電量が放電量より大きい場合には、第２の直流電源内にあるコンデンサに電力が充電され、第２の直流電源の電圧が上昇する。
【０００６】
また、特許文献１に示された電力変換装置では、第２の直流電源の総変動電力量が小さくなるように、第１の直流電源を入力とする単相インバータの出力パルス幅を調整するようにしている。しかしながら、第２の直流電源の総変動電力量がたとえ小さい量であっても絶対量として充電量が放電量より大きい場合には、第２の直流電源内にあるコンデンサに電力が充電され、第２の直流電源の電圧が上昇する。
【０００７】
また、特許文献１に示された電力変換装置では、第１の直流電源の電圧が予期せず上昇した際、第２の直流電源への充電電力が大きくなり、第２の直流電源内にあるコンデンサに電力が充電され、第２の直流電源の電圧が上昇する。
【０００８】
また、特許文献１に示された電力変換装置では、上記のような現象によって第２の直流電源の電圧が上昇し続けると、第２の直流電源を入力とする各単相インバータ内のスイッチング素子が破壊される可能性がある。
【０００９】
本発明は、上記に鑑みてなされたものであって、第２の直流電源の電圧の変動を低減することが可能な電力変換装置を提供することを目的とする。
【課題を解決するための手段】
【００１０】
上述した課題を解決し、目的を達成するために、本発明にかかる電力変換装置は、直流電圧を交流電圧に変換して出力する複数の単相インバータを有し、交流側端子が直列に接続された当該複数の単相インバータの各発生電圧による総和電圧を出力する電力変換装置において、前記複数の単相インバータのうちの入力電圧が最大である第１の単相インバータの動作を制御するゲートパルス信号を前記第１の単相インバータに出力するゲートパルス発生器と、前記第１の単相インバータの入力電圧を検出する電圧検出器と、前記複数の単相インバータのうちの前記第１の単相インバータを除く１または複数の第２の単相インバータの入力電圧を平滑化する１または複数のコンデンサと、前記各コンデンサの電力を検出する１または複数の電力検出器と、前記第１および第２の単相インバータによる出力電流目標値と、前記第１および第２の単相インバータによる出力電力目標値と、前記電圧検出器によって検出された前記第１の単相インバータの入力電圧と、前記各電力検出器によって検出された前記各コンデンサの電力と、に応じたゲートパルス信号を発生させるように前記ゲートパルス発生器を制御する制御回路と、を備えたことを特徴とする。
【発明の効果】
【００１１】
本発明によれば、複数の単相インバータのうちの入力電圧が最大である第１の単相インバータの動作を制御するゲートパルス信号を、第１の単相インバータの入力電圧と、１または複数の第２の単相インバータの入力電圧を平滑化する１または複数のコンデンサの電力と、第１および第２の単相インバータによる出力電流目標値と、第１および第２の単相インバータによる出力電力目標値と、に応じた信号にするので、第２のインバータの入力電圧を所定電圧に制御することができ、第２のインバータの入力電圧が過電圧となることを防止することができ、第２のインバータ内部のスイッチング素子の破壊を防止することができるという効果を奏する。
【図面の簡単な説明】
【００１２】
【図１】図１は、実施の形態１にかかる電力変換装置を太陽光発電システムに適用した場合の一例を示す図である。
【図２】図２は、実施の形態１にかかる電力変換装置の構成を示す図である。
【図３】図３は、実施の形態１にかかる電力変換装置の要部動作を示す波形図である。
【図４】図４は、実施の形態２にかかる電力変換装置の構成を示す図である。
【図５】図５は、実施の形態３にかかる電力変換装置の構成を示す図である。
【図６】図６は、実施の形態４にかかる電力変換装置の構成を示す図である。
【図７】図７は、実施の形態５にかかる電力変換装置の構成を示す図である。
【発明を実施するための形態】
【００１３】
以下に、本発明にかかる電力変換装置の実施の形態を図面に基づいて詳細に説明する。なお、これらの実施の形態によりこの発明が限定されるものではない。
【００１４】
実施の形態１．
図１は、本発明の実施の形態１にかかる電力変換装置の構成を示す図であり、より詳細には、実施の形態１にかかる電力変換装置を太陽光発電システムに適用した場合の一例を示す図である。
【００１５】
図１において、電力変換装置２の直流入力端には、太陽電池モジュール１が接続され、交流出力端には、例えば５０Ｈｚまたは６０Ｈｚの電力を供給する系統３が接続されている。このように構成された太陽光発電システムでは、太陽電池モジュール１によって発電された直流電力は、電力変換装置２によって交流電力に変換されて系統３に供給される。
【００１６】
上述した機能を含み、後述する機能を具現するための構成として、本実施の形態にかかる電力変換装置２は、ＤＣ／ＤＣコンバータ４，５、第１のインバータ６、１または複数（本実施の形態では２つ）の第２のインバータ７，８、主コンデンサ９、１または複数（本実施の形態では２つ）のコンデンサ１０，１１、電圧検出器１２、１または複数（本実施の形態では２つ）の電力検出器１３，１４、制御回路１５、出力フィルタ回路１６、およびゲートパルス発生器２９を備えている。
【００１７】
ＤＣ／ＤＣコンバータ４は、太陽電池モジュール１の出力電圧（直流電圧）を電圧変換してインバータ６に印加する。
ＤＣ／ＤＣコンバータ５は、ＤＣ／ＤＣコンバータ４の出力電圧を電圧変換してインバータ７，８に印加する。
【００１８】
コンデンサ９はインバータ６の入力電圧を、コンデンサ１０はインバータ７の入力電圧を、コンデンサ１１はインバータ８の入力電圧を、それぞれ平滑化する。
【００１９】
コンデンサ１０、およびコンデンサ１１の総変動電力量が、絶対量として充電量が放電量より大きい場合は、コンデンサ１０、およびコンデンサ１１の電力が増加する。
【００２０】
また、コンデンサ１０、およびコンデンサ１１の総変動電力量が、絶対量として放電量が充電量より大きい場合は、コンデンサ１０、およびコンデンサ１１の電力が減少する。
【００２１】
電圧検出器１２は、インバータ６の入力電圧を検出して制御回路１５に出力する。電力検出器１３は、コンデンサ１０の電力を、電力検出器１４は、コンデンサ１１の電力を、それぞれ検出して制御回路１５に出力する。
【００２２】
インバータ６は、ＤＣ／ＤＣコンバータ４から供給される直流電圧Ｖ１を交流電圧に変換して出力する。また、インバータ７、およびインバータ８は、ＤＣ／ＤＣコンバータ５から供給される直流電圧Ｖ２，Ｖ３を交流電圧にそれぞれ変換して出力する。なお、直流電圧Ｖ１〜Ｖ３のうち、直流電圧Ｖ１が最大電圧であるものとする。
【００２３】
インバータ６の交流側端子では、交流側端子の一方にインバータ７が接続され、交流側端子の他方にインバータ８が接続されている。
【００２４】
インバータ７の交流側端子では、交流側端子の一方にインバータ６が接続され、交流側端子の他方に出力フィルタ回路１６の入力側端子の一方が接続され、インバータ８の交流側端子では、交流側端子の一方にインバータ６が接続され、交流側端子の他方に出力フィルタ回路１６の入力側端子の他方が接続されている。
【００２５】
制御回路１５は、電圧検出器１２によって検出されたインバータ６の入力電圧、電力検出器１３によって検出されたコンデンサ１０の電力、および電力検出器１４によって検出されたコンデンサ１１の電力を入力として、インバータ６の出力パルス幅を算出し、算出したパルス幅の出力をインバータ６に行わせるためのゲートパルス信号を発生させるようにゲートパルス発生器２９を制御する。
【００２６】
ゲートパルス発生器２９は、制御回路１５によって算出された出力パルス幅の出力をインバータ６に行わせるためのゲートパルス信号をインバータ６内のスイッチング素子（後述）に出力する。
【００２７】
出力フィルタ回路１６は、インバータ７の交流側端子の一方、およびインバータ８の交流側端子の他方に接続され、インバータ６，７，８による交流出力を平滑化して出力する。
【００２８】
図２は、実施の形態１にかかる電力変換装置の構成を示す図である。図２において、インバータ６は、ダイオードを逆並列に接続した複数個の、自己消弧型の半導体スイッチング素子（例えばＩＧＢＴ）であるスイッチング素子Ｑ１〜Ｑ４を備えている。なお、インバータ７，８も、インバータ６と同様の構成で実現可能である。
【００２９】
電力検出器１３は、電流検出器１７、電圧検出器１８、および電力演算器１９を含んで構成される。電流検出器１７は、コンデンサ１０に流れる電流を、電圧検出器１８は、コンデンサ１０の電圧を、それぞれ検出する。
【００３０】
電力検出器１４は、電流検出器２０、電圧検出器２１、および電力演算器２２を含んで構成される。電流検出器２０は、コンデンサ１１に流れる電流を、電圧検出器２１は、コンデンサ１１の電圧を、それぞれ検出する。
【００３１】
制御回路１５は、電力過不足演算器２３、第１インバータ目標電力演算器２４、第１インバータ最大出力演算器２５、およびパルス幅演算器２６を含んで構成される。
【００３２】
電圧検出器１２は、インバータ６の入力電圧を監視しており、インバータ６の入力電圧を検出して制御回路１５内の第１インバータ最大出力演算器２５に出力する。
【００３３】
第１インバータ最大出力演算器２５は、電圧検出器１２によって検出されたインバータ６の入力電圧、および予め設定されるインバータ６〜８による出力電流目標値を入力として、インバータ６の最大電力を次式により算出する。
（インバータ６の最大電力）
＝（インバータ６の入力電圧）×（出力電流目標値）                  ・・・（１）
【００３４】
電力演算器１９は、電流検出器１７によって検出されたコンデンサ１０の電流、および電圧検出器１８によって検出されたコンデンサ１０の電圧を入力として、コンデンサ１０の電力を次式により算出する。
（コンデンサ１０の電力）
＝（コンデンサ１０の電圧）×（コンデンサ１０に流れる電流）        ・・・（２）
【００３５】
電力演算器２２は、電流検出器２０によって検出されたコンデンサ１１の電流、および電圧検出器２１によって検出されたコンデンサ１１の電圧を入力として、コンデンサ１１の電力を次式により算出する。
（コンデンサ１１の電力）
＝（コンデンサ１１の電圧）×（コンデンサ１１に流れる電流）        ・・・（３）
【００３６】
電力過不足演算器２３は、電力検出器１３によって検出されたコンデンサ１０の電力、電力検出器１４によって検出されたコンデンサ１１の電力、およびコンデンサ１０，１１の定格電力を入力として、コンデンサ１０，１１の電力の定格時に対する過不足分を算出する。
【００３７】
コンデンサ１０の定格電力（定格電力量または定格静電エネルギー）は、コンデンサ１０の容量をＣ２、コンデンサ１０の定格電圧をＶ２定格電圧とすると、次式により算出することができる。
（コンデンサ１０の定格電力）
＝ｋ１×（Ｃ２×Ｖ２定格電圧２）／２            ・・・（４）
式（４）において、ｋ１は、コンデンサ１０の定格静電エネルギー（（Ｃ２×Ｖ２定格電圧２）／２）を電力に変換するための係数である。
【００３８】
同様に、コンデンサ１１の定格電力（定格電力量または定格静電エネルギー）は、コンデンサ１１の容量をＣ３、コンデンサ１１の定格電圧をＶ３定格電圧とすると、次式により算出することができる。
（コンデンサ１１の定格電力）
＝ｋ２×（Ｃ３×Ｖ３定格電圧２）／２            ・・・（５）
式（５）において、ｋ２は、コンデンサ１１の定格静電エネルギー（（Ｃ３×Ｖ３定格電圧２）／２）を電力に変換するための係数である。
【００３９】
そして、コンデンサ１０，１１の電力の定格時に対する過不足分は、次式により算出することができる。
（コンデンサ１０，１１の電力の定格時に対する過不足分）
＝  （（コンデンサ１０の定格電力）＋（コンデンサ１１の定格電力））
−（（電力検出器１３によって検出されたコンデンサ１０の電力）
＋（電力検出器１４によって検出されたコンデンサ１１の電力））
・・・（６）
【００４０】
第１インバータ目標電力演算器２４は、電力過不足演算器２３によって算出されたコンデンサ１０，１１の電力の定格時に対する過不足分、および電力変換装置２の出力電力目標値（インバータ６〜８による出力電力目標値）を入力とし、インバータ６の目標出力電力を、次式により算出する。
（インバータ６の目標出力電力）
＝（コンデンサ１０，１１の電力の定格時に対する過不足分）＋（出力電力目標値）
・・・（７）
【００４１】
なお、電力変換装置２の出力電力目標値は、太陽電池モジュール１の出力に応じて決定されるものである。
【００４２】
電力変換装置２の出力電力をインバータ６の出力電力で賄うことができれば、コンデンサ１０，１１の総変動電力量は略０であり、コンデンサ１０，１１の電力量は増減しない。例えば、コンデンサ１０，１１の電力が定格時の電力より大きい場合、コンデンサ１０，１１の電力を定格時の電力に戻すためには、コンデンサ１０，コンデンサ１１の電力を減少させる必要がある。そのため、インバータ６の目標出力電力を、電力変換装置２の出力電力目標値からコンデンサ１０，１１の電力の定格時の電力より多い分を減算した電力とすることで、コンデンサ１０，１１の総変動電力量は充電量より放電量が多くなり、コンデンサ１０，１１の電力を減少させることができる。
【００４３】
同様に、コンデンサ１０，１１の電力が定格時の電力より小さい場合、コンデンサ１０，１１の電力を定格時の電力に戻すためには、コンデンサ１０，１１の電力を増加させる必要がある。そのため、インバータ６の目標出力電力を、電力変換装置２の出力電力目標値にコンデンサ１０，１１の電力の定格時の電力より少ない分を加算した電力とすることで、コンデンサ１０，１１の総変動電力量は放電量より充電量が多くなり、コンデンサ１０，１１の電力を増加させることができる。
【００４４】
上記の動作により、コンデンサ１０，１１の電力を一定に保つことができ、コンデンサ１０，１１の電圧を所定電圧（例えば定格電圧）に制御することができる。
【００４５】
パルス幅演算器２６は、第１インバータ最大出力演算器２５によって算出されたインバータ６の最大電力、および第１インバータ目標電力演算器２４によって算出されたインバータ６の目標出力電力を入力として、インバータ６の出力パルス幅を、次式により算出する。
【数１】
2010183670.tif 000003
式（８）において、ω＝２πｆ（ｆは、５０Ｈｚまたは６０Ｈｚ）である。
【００４６】
なお、ゲートパルス信号のパルス幅が決まればインバータ６の出力パルス幅も決まるので、パルス幅演算器２６が、ゲートパルス信号のパルス幅を算出するようにしても良い。
【００４７】
ゲートパルス発生器２９は、パルス幅演算器２６によって演算されたパルス幅の出力をインバータ６に行わせるゲートパルス信号を生成し、インバータ６内のスイッチング素子Ｑ１〜Ｑ４のゲートに印加する。なお、パルス幅演算器２６がゲートパルス信号のパルス幅を算出する場合には、ゲートパルス発生器２９は、パルス幅演算器２６によって算出されたパルス幅を有するゲートパルス信号を生成し、インバータ６内のスイッチング素子Ｑ１〜Ｑ４のゲートに印加する。
【００４８】
図３は、実施の形態１にかかる電力変換装置の要部動作を示す波形図である。図３の１段目に示すように、時刻ｔ０までは、コンデンサ１０，コンデンサ１１の総変動電力量が略０で動作している。
【００４９】
図３の１段目に示すように、時刻ｔ０において、コンデンサ１０，コンデンサ１１の総変動電力量が変化し、時刻ｔ０〜ｔ１の間、総変動電力量の絶対量が充電となる。
【００５０】
コンデンサ１０，コンデンサ１１の総変動電力量の絶対量が充電となると、図３の２段目に示すように、コンデンサ１０，コンデンサ１１に電力が充電されるので、時刻ｔ０〜ｔ１の間、コンデンサ１０，コンデンサ１１の電力が増加する。
【００５１】
コンデンサ１０，コンデンサ１１の電力が増加すると、図３の３段目に示すように、時刻ｔ０〜ｔ１の間、コンデンサ１０，コンデンサ１１の電圧が増加する。
【００５２】
制御回路１５は、コンデンサ１０，コンデンサ１１の電力が大きくなったことを検出し、図３の４段目に示すように、時刻ｔ１において、インバータ６のパルス幅を小さくする。制御回路１５がインバータ６のパルス幅を小さくすることにより、図３の１段目に示すように、時刻ｔ１〜ｔ２の間、コンデンサ１０，コンデンサ１１の総変動電力量は放電量が大きくなり、図３の２段目に示すように、コンデンサ１０，コンデンサ１１の電力が減少し、図３の３段目に示すように、コンデンサ１０，コンデンサ１１の電圧も減少する。
【００５３】
なお、本実施の形態による制御を行わない場合には、図３の１段目に二点鎖線で示すように、時刻ｔ０において、コンデンサ１０，コンデンサ１１の総変動電力量が変化して総変動電力量の絶対量が充電となると、図３の２段目に二点鎖線で示すように、時刻ｔ０以降、コンデンサ１０，コンデンサ１１の電力が増加し続け、図３の３段目に二点鎖線で示すように、コンデンサ１０，コンデンサ１１の電圧が増加し続ける。このようにコンデンサ１０，コンデンサ１１の電圧が増加し続けてインバータ７，インバータ８内部のスイッチング素子の耐圧レベルを超え（図３の３段目の点Ｐ参照）、インバータ７，インバータ８内部のスイッチング素子の破壊を招く可能性がある。
【００５４】
以上説明したように、この実施の形態にかかる電力変換装置によれば、インバータ６の入力電圧と、コンデンサ１０，１１の電力と、出力電流目標値と、出力電力目標値と、を利用してインバータ６の出力パルス幅（またはゲートパルス信号のパルス幅）を制御するので、インバータ７，８の入力電圧を所定電圧に制御することができる。また、電力検出器１３，１４によってコンデンサ１０、１１の過充電を検出することができるので、コンデンサ１０，コンデンサ１１の電圧上昇を防ぎ、インバータ７，８の入力電圧が過電圧となることを防止することができる。これにより、インバータ７，８内部のスイッチング素子の破壊を防止することができる。
【００５５】
なお、本実施の形態においては、第２のインバータとして２つのインバータ７，８を備えるようにしているが、第２のインバータとして１つまたは３つ以上のインバータを備えるようにしても良い。
【００５６】
実施の形態２．
図４は、本発明の実施の形態２にかかる電力変換装置の構成を示す図である。図２に示す実施の形態１との装置構成に関する相違点は、次の通りである。
【００５７】
図２に示す実施の形態１にかかる電力変換装置では、電力検出器１３が、電流検出器１７、電圧検出器１８、および電力演算器１９を含んで構成されていたが、図４に示す実施の形態２にかかる電力変換装置では、電力検出器１３が、電圧検出器１８、および電力演算器１９を含んで構成されている。すなわち、実施の形態２にかかる電力変換装置の電力検出器１３は、実施の形態１にかかる電力変換装置の電力検出器１３における電流検出器１７を含んでいない。
【００５８】
実施の形態２にかかる電力変換装置の電力検出器１３は、コンデンサ１０の容量をＣ２、電圧検出器１８によって検出されたコンデンサ１０の電圧をＶ２とすると、次式で定まるコンデンサ１０の静電エネルギーをコンデンサ１０の電力として算出する。
（コンデンサ１０の静電エネルギー）
＝（Ｃ２×Ｖ２２）／２                ・・・（９）
【００５９】
同様に、図２に示す実施の形態１にかかる電力変換装置では、電力検出器１４が、電流検出器２０、電圧検出器２１、および電力演算器２２を含んで構成されていたが、図４に示す実施の形態２にかかる電力変換装置では、電力検出器１４が、電圧検出器２１および電力演算器２２を含んで構成されている。すなわち、実施の形態２にかかる電力変換装置の電力検出器１４は、実施の形態１にかかる電力変換装置の電力検出器１４における電流検出器２０を含んでいない。
【００６０】
実施の形態２にかかる電力変換装置の電力検出器２２は、コンデンサ１１の容量をＣ３、電圧検出器２１によって検出されたコンデンサ１１の電圧をＶ３とすると、次式で定まるコンデンサ１１の静電エネルギーをコンデンサ１１の電力として算出する。
（コンデンサ１１の静電エネルギー）
＝（Ｃ３×Ｖ３２）／２                ・・・（１０）
【００６１】
なお、その他については、実施の形態１の構成と同一または同等であり、同一符号を付して詳細な説明を省略する。
【００６２】
以上説明したように、この実施の形態にかかる電力変換装置によれば、インバータ６の入力電圧と、コンデンサ１０，１１の電力と、出力電流目標値と、出力電力目標値と、を利用してインバータ６の出力パルス幅（またはゲートパルス信号のパルス幅）を制御するので、インバータ７，８の入力電圧を所定電圧に制御することができる。また、電力検出器１３，１４によってコンデンサ１０，１１の過充電を検出することができるので、コンデンサ１０，１１の電圧上昇を防ぎ、インバータ７，８の入力電圧が過電圧となることを防止することができる。これにより、インバータ７，８内部のスイッチング素子の破壊を防止することができる。また、コンデンサ１０，１１の電力検出に電流検出器を用いていないので、実施の形態１にかかる電力変換装置よりも製品コストを下げることができる。
【００６３】
実施の形態３．
図５は、本発明の実施の形態３にかかる電力変換装置の構成を示す図である。図２に示す実施の形態１との装置構成に関する相違点は、次の通りである。
【００６４】
図５に示す実施の形態３にかかる電力変換装置では、制御回路１５が、コンデンサ１０，１１の電力が定格電力で安定するように、電力過不足演算器２３の出力（コンデンサ１０，１１の電力の定格時に対する過不足分）に比例積分制御（ＰＩ制御）を行って第１インバータ目標電力演算器２４に出力する制御器３０を更に含んで構成されている。制御器３０が電力過不足演算器２３の出力に比例積分制御を行うことで、コンデンサ１０，１１の電力の振動を防止することができる。
【００６５】
なお、その他については、実施の形態１の構成と同一または同等であり、同一符号を付して詳細な説明を省略する。
【００６６】
以上説明したように、この実施の形態にかかる電力変換装置によれば、インバータ６の入力電圧と、コンデンサ１０，１１の電力と、出力電流目標値と、出力電力目標値と、を利用してインバータ６の出力パルス幅（またはゲートパルス信号のパルス幅）を制御するので、インバータ７，８の入力電圧を所定電圧に制御することができる。また、電力検出器１３，１４によってコンデンサ１０，１１の過充電を検出することができるので、コンデンサ１０，１１の電圧上昇を防ぎ、インバータ７，８の入力電圧が過電圧となることを防止することができる。これにより、インバータ７，８内部のスイッチング素子の破壊を防止することができる。また、コンデンサ１０，１１の電力の定格時に対する過不足分に比例積分制御を行うので、コンデンサ１０，１１の電力の振動を防止することができる。
【００６７】
実施の形態４．
図６は、本発明の実施の形態４にかかる電力変換装置の構成を示す図である。図２に示す実施の形態１との装置構成に関する相違点は、次の通りである。
【００６８】
図６に示す実施の形態４にかかる電力変換装置では、制御回路１５が、電力検出器１３によって検出されたコンデンサ１０の電力と電力検出器１４によって検出されたコンデンサ１１の電力とを比較して大きい方の値（ｍａｘ）を電力過不足演算器２３に出力する比較器２７を更に含んで構成されている。
【００６９】
また、図６に示す実施の形態４にかかる電力変換装置では、制御回路１５内の電力過不足演算器２３が、比較器２７から出力された値（コンデンサ１０の電力とコンデンサ１１の電力とのうちの大きい方の値）の２倍、コンデンサ１０の定格時の電力、およびコンデンサ１１の定格時の電力を入力とし、コンデンサ１０，１１の電力の定格時に対する過不足分を、次式により算出する。
（コンデンサ１０，１１の電力の定格時に対する過不足分）
＝  （（コンデンサ１０の定格電力）＋（コンデンサ１１の定格電力））
−（（コンデンサ１０の電力とコンデンサ１１の電力の大きい方の値）×２）
・・・（１１）
【００７０】
このようにコンデンサ１０の電力とコンデンサ１１の電力とのうちの大きい方の値を２倍した値を用いて制御を行うことで、実施の形態１にかかる電力変換装置のようにコンデンサ１０の電力とコンデンサ１１の電力の和を用いて制御を行う場合よりも、電力過不足演算器２３の出力を大きくすることができる。これにより、インバータ６のパルス幅の変化分が大きくなり、電力変換装置の応答性が早くなる。
【００７１】
なお、その他については、実施の形態１の構成と同一または同等であり、同一符号を付して詳細な説明を省略する。
【００７２】
以上説明したように、この実施の形態にかかる電力変換装置によれば、インバータ６の入力電圧と、コンデンサ１０，１１の電力と、出力電流目標値と、出力電力目標値と、を利用してインバータ６の出力パルス幅（またはゲートパルス信号のパルス幅）を制御するので、インバータ７，８の入力電圧を所定電圧に制御することができる。また、電力検出器１３，１４によってコンデンサ１０，１１の過充電を検出することができるので、コンデンサ１０，コンデンサ１１の電圧上昇を防ぎ、インバータ７，８の入力電圧が過電圧となることを防止することができる。これにより、インバータ７，８内部のスイッチング素子の破壊を防止することができる。また、コンデンサ１０の電力とコンデンサ１１の電力とのうちの大きい方の値を用いて制御を行うことで、インバータ６のパルス幅の変化分が大きくなるので、応答性を早くすることができる。
【００７３】
実施の形態５．
図７は、本発明の実施の形態５にかかる電力変換装置の構成を示す図である。図６に示す実施の形態４との装置構成に関する相違点は、次の通りである。
【００７４】
図７に示す実施の形態５にかかる電力変換装置では、制御回路１５が、パルス幅演算器２６によって設定されたパルス幅の上下限を制限するパルス幅リミッタ２８を更に含んで構成されている。
【００７５】
パルス幅リミッタ２８は、インバータ６、インバータ７、およびインバータ８の出力電圧の組み合わせ（電力変換装置の出力電圧）が連続した出力を継続できる電圧範囲となるように、インバータ６の出力パルス幅の上下限を制限する。インバータ６の出力パルス幅をｔとすると、パルス幅リミッタ２８は、次式のようにインバータ６の出力パルス幅ｔの上下限を制限する。
【数２】
2010183670.tif 000004
【００７６】
式（１２）において、ω＝２πｆ（ｆは、５０Ｈｚまたは６０Ｈｚ）であり、Ｖ１は電圧検出器１２によって検出されたコンデンサ９の電圧であり、Ｖ２は電力検出器１３内の電圧検出器１８によって検出されたコンデンサ１０の電圧であり、Ｖ３は電力検出器１４内の電圧検出器２１によって検出されたコンデンサ１１の電圧であり、Ｖｆｏはインバータ６、インバータ７、およびインバータ８の出力電圧の組み合わせ（電力変換装置の出力電圧）である。
【００７７】
なお、ゲートパルス信号のパルス幅が決まればインバータ６の出力パルス幅も決まるので、パルス幅演算器２６が、ゲートパルス信号のパルス幅を算出し、パルス幅リミッタ２８が、ゲートパルス信号のパルス幅の上下限を制限するようにしても良い。
【００７８】
式（１２）に示すようにインバータ６の出力パルス幅ｔの上下限を制限することで、インバータ６、インバータ７、およびインバータ８の出力電圧の組み合わせが、連続した出力を継続できる電圧範囲となる。これにより、インバータ６、インバータ７、およびインバータ８の出力電圧の組み合わせの歪みをなくすことができ、インバータ６、インバータ７、およびインバータ８の出力電流の組み合わせを歪みのない正弦波電流とすることができる。従って、インバータ６、インバータ７、およびインバータ８の出力電流の組み合わせの高調波を抑制することができる。
【００７９】
なお、その他については、実施の形態４の構成と同一または同等であり、同一符号を付して詳細な説明を省略する。
【００８０】
以上説明したように、この実施の形態にかかる電力変換装置によれば、インバータ６の入力電圧と、コンデンサ１０，１１の電力と、出力電流目標値と、出力電力目標値と、を利用してインバータ６の出力パルス幅（またはゲートパルス信号のパルス幅）を制御するので、インバータ７，８の入力電圧を所定電圧に制御することができる。また、電力検出器１３，１４によってコンデンサ１０，１１の過充電を検出することができるので、コンデンサ１０，１１の電圧上昇を防ぎ、インバータ７，８の入力電圧が過電圧となることを防止することができる。これにより、インバータ７，８内部のスイッチング素子の破壊を防止することができる。また、インバータ６の出力パルス幅（またはゲートパルス信号のパルス幅）の上下限を制限することで、インバータ６、インバータ７、およびインバータ８の出力電流の組み合わせを歪みのない正弦波電流とすることができ、インバータ６、インバータ７、およびインバータ８の出力電流の組み合わせの高調波を抑制することができる。
【産業上の利用可能性】
【００８１】
以上のように、本発明にかかる電力変換装置は、複数のインバータの交流側端子が直列に接続され、これら複数のインバータのうちの入力電圧が最大である第１の単相インバータを除く１または複数の第２の単相インバータの入力電圧を所定電圧に制御することができ、第２の単相インバータの入力電圧が過電圧となることを防止することができ、第２のインバータ内部のスイッチング素子の破壊を防止することができる発明として有用である。
【符号の説明】
【００８２】
１  太陽電池モジュール
２  電力変換装置
３  系統
４、５  ＤＣ／ＤＣコンバータ
６〜８  インバータ
９〜１１  コンデンサ
１２  電圧検出器
１３、１４  電力検出器
１５  制御回路
１６  出力フィルタ回路
１７  電流検出器
１８  電圧検出器
１９  電力演算器
２０  電流検出器
２１  電圧検出器
２２  電力演算器
２３  電力過不足演算器
２４  第１インバータ目標電力演算器
２５  第１インバータ最大出力演算器
２６  パルス幅演算器
２７  比較器
２８  パルス幅リミッタ
２９  ゲートパルス発生器
３０  制御器
Ｑ１〜Ｑ４  スイッチング素子
【図１】
2010183670.tif 000005
【図２】
2010183670.tif 000006
【図３】
2010183670.tif 000007
【図４】
2010183670.tif 000008
【図５】
2010183670.tif 000009
【図６】
2010183670.tif 000010
【図７】
2010183670.tif 000011